(57)【特許請求の範囲】
【請求項１】
撮影者の操作に応じて撮像手段に対して画像の撮影を指示する指示手段と、
前記指示手段による指示に応じて前記撮像手段により撮影された画像を表示する第１の表示処理手段と、
前記第１の表示処理手段により表示された画像に対して撮影者により入力された位置情報を取得する取得手段と、
前記取得手段により取得された位置情報に基づく選択肢を表示する第２の表示処理手段と、
前記第２の表示処理手段により表示された選択肢のうち撮影者により選択された選択肢に基づいて次回の撮影のためのパラメータの設定または撮影に関するパラメータのガイド表示の少なくとも一方を含む支援を行う支援手段と、を有し、
前記第２の表示処理手段は、前記取得手段により取得された位置情報が示す位置が、前記第１の表示処理手段により表示された画像における合焦位置から閾値以内である場合に、露出補正値の設定に関する選択肢を表示することを特徴とする撮像制御装置。
【請求項２】
撮影者の操作に応じて撮像手段に対して画像の撮影を指示する指示手段と、
前記指示手段による指示に応じて前記撮像手段により撮影された画像を表示する第１の表示処理手段と、
前記第１の表示処理手段により表示された画像に対して撮影者により入力された位置情報を取得する取得手段と、
前記取得手段により取得された位置情報に基づく選択肢を表示する第２の表示処理手段と、
前記第２の表示処理手段により表示された選択肢のうち撮影者により選択された選択肢に基づいて次回の撮影のためのパラメータの設定または撮影に関するパラメータのガイド表示の少なくとも一方を含む支援を行う支援手段と、を有し、
前記第２の表示処理手段は、前記取得手段により取得された位置情報が示す位置が、前記第１の表示処理手段により表示された画像から検出された顔から閾値以内の距離でなく、かつ、前記第１の表示処理手段により表示された画像を黄金比で分割した枠内である場合に、焦点調節位置を前記取得手段により取得された位置情報が示す位置に基づく位置に設定するための選択肢を表示することを特徴とする撮像制御装置。
【請求項３】
撮影者の操作に応じて撮像手段に対して画像の撮影を指示する指示手段と、
前記指示手段による指示に応じて前記撮像手段により撮影された画像を表示する第１の表示処理手段と、
前記第１の表示処理手段により表示された画像に対して撮影者により入力された位置情報を取得する取得手段と、
前記取得手段により取得された位置情報に基づく選択肢を表示する第２の表示処理手段と、
前記第２の表示処理手段により表示された選択肢のうち撮影者により選択された選択肢に基づいて次回の撮影のためのパラメータの設定または撮影に関するパラメータのガイド表示の少なくとも一方を含む支援を行う支援手段と、を有し、
前記第２の表示処理手段は、前記取得手段により取得された位置情報が示す位置が、前記第１の表示処理手段により表示された画像の４頂点から所定範囲内である場合に、周辺光量補正の設定に関する選択肢を表示することを特徴とする撮像制御装置。
【請求項４】
前記指示手段は、
撮影者の操作に応じて前記撮像手段に対して撮影の準備を指示する第１の指示手段と、
前記第１の指示手段によって指示された後に、撮影者の操作に応じて前記撮像手段に対して画像の撮影を指示する第２の指示手段と、を有し、
前記第１の表示処理手段は、前記第２の指示手段による指示に応じて前記撮像手段により撮影された画像を表示することを特徴とする請求項１ないし３の何れか１項に記載の撮像制御装置。
【請求項５】
撮影条件および画像情報のうち少なくとも一方と、前記取得手段により取得された位置情報とに基づいて撮影者の要望を推定する推定手段を有し、
前記第２の表示処理手段は、前記推定手段によって推定された撮影者の要望を示す選択肢を表示することを特徴とする請求項１ないし４の何れか１項に記載の撮像制御装置。
【請求項６】
前記撮影条件は、フラッシュ発光の有無であり、
前記画像情報は、前記撮像手段により撮影された画像のシーン情報または当該画像の赤緑青の割合情報であることを特徴とする請求項５に記載の撮像制御装置。
【請求項７】
前記第２の表示処理手段は、前記撮影条件に基づいて、前記推定手段により推定される要望を取捨選択して表示することを特徴とする請求項５または６に記載の撮像制御装置。
【請求項８】
前記推定手段は、前記取得手段により取得された位置情報が、被写体の顔の近傍であるか、測距点の近傍であるか、黄金分割枠内であるか、画像の４隅であるか、画像の上側であるかのうち少なくとも何れか一つに基づいて撮影者の要望を推定することを特徴とする請求項５ないし７の何れか１項に記載の撮像制御装置。
【請求項９】
前記第２の表示処理手段は、前記取得手段により取得された位置情報とは異なる位置に選択肢を表示することを特徴とする請求項１ないし８の何れか１項に記載の撮像制御装置。
【請求項１０】
前記支援手段は、
撮影者により選択された選択肢に基づいて撮影に関するパラメータを設定することを特徴とする請求項１ないし９の何れか１項に記載の撮像制御装置。
【請求項１１】
前記支援手段は、
撮影者により選択された選択肢に基づいて撮影に関するパラメータのガイド表示を行うことを特徴とする請求項１ないし９の何れか１項に記載の撮像制御装置。
【請求項１２】
前記撮影に関するパラメータとは、測距点、撮影モード、露出補正量、フラッシュ、現像パラメータ、ホワイトバランスの種類、ホワイトバランス補正量、および、周辺光量補正を示すパラメータの少なくとも何れか一つであることを特徴とする請求項１０または１１に記載の撮像制御装置。
【請求項１３】
前記第２の表示処理手段は、前記取得手段により取得された位置情報が示す位置が、前記第１の表示処理手段により表示された画像から検出された顔から閾値以内の距離であり、かつ、合焦位置から閾値以内の距離でない場合に、焦点調節位置を前記取得手段により取得された位置情報が示す位置に基づく位置に設定するための選択肢を表示することを特徴とする請求項１ないし１２の何れか１項に記載の撮像制御装置。
【請求項１４】
前記第２の表示処理手段は、前記取得手段により取得された位置情報が示す位置が、前記第１の表示処理手段により表示された画像から検出された顔から閾値以内の距離であることを含む所定の条件を満たす場合に、肌色を調整するための選択肢を表示することを特徴とする請求項１ないし１３の何れか１項に記載の撮像制御装置。
【請求項１５】
前記所定の条件は、フラッシュ発光されていないことであることを特徴とする請求項１４に記載の撮像制御装置。
【請求項１６】
前記第２の表示処理手段は、前記取得手段により取得された位置情報が示す位置が、前記第１の表示処理手段により表示された画像のうち所定位置よりも上側であることを含む条件を満たす場合に、空の青を強調させる現象パラメータの設定に関する選択肢を表示することを特徴とする請求項１ないし１５の何れか１項に記載の撮像制御装置。
【請求項１７】
撮影者の操作に応じて撮像手段に対して画像の撮影を指示する指示ステップと、
前記指示ステップによる指示に応じて前記撮像手段により撮影された画像を表示する第１の表示処理ステップと、
前記第１の表示処理ステップにより表示された画像に対して撮影者により入力された位置情報を取得する取得ステップと、
前記取得ステップにより取得された位置情報に基づく選択肢を表示する第２の表示処理ステップと、
前記第２の表示処理ステップにより表示された選択肢のうち撮影者により選択された選択肢に基づいて次回の撮影のためのパラメータの設定または撮影に関するパラメータのガイド表示の少なくとも一方を含む支援を行う支援ステップと、を有し、
前記第２の表示処理ステップでは、前記取得ステップにより取得された位置情報が示す位置が、前記第１の表示処理ステップにより表示された画像における合焦位置から閾値以内である場合に、露出補正値の設定に関する選択肢を表示することを特徴とする撮像制御装置の制御方法。
【請求項１８】
撮影者の操作に応じて撮像手段に対して画像の撮影を指示する指示ステップと、
前記指示ステップによる指示に応じて前記撮像手段により撮影された画像を表示する第１の表示処理ステップと、
前記第１の表示処理ステップにより表示された画像に対して撮影者により入力された位置情報を取得する取得ステップと、
前記取得ステップにより取得された位置情報に基づく選択肢を表示する第２の表示処理ステップと、
前記第２の表示処理ステップにより表示された選択肢のうち撮影者により選択された選択肢に基づいて次回の撮影のためのパラメータの設定または撮影に関するパラメータのガイド表示の少なくとも一方を含む支援を行う支援ステップと、を有し、
前記第２の表示処理ステップでは、前記取得ステップにより取得された位置情報が示す位置が、前記第１の表示処理ステップにより表示された画像から検出された顔から閾値以内の距離でなく、かつ、前記第１の表示処理ステップにより表示された画像を黄金比で分割した枠内である場合に、焦点調節位置を前記取得ステップにより取得された位置情報が示す位置に基づく位置に設定するための選択肢を表示することを特徴とする撮像制御装置の制御方法。
【請求項１９】
撮影者の操作に応じて撮像手段に対して画像の撮影を指示する指示ステップと、
前記指示ステップによる指示に応じて前記撮像手段により撮影された画像を表示する第１の表示処理ステップと、
前記第１の表示処理ステップにより表示された画像に対して撮影者により入力された位置情報を取得する取得ステップと、
前記取得ステップにより取得された位置情報に基づく選択肢を表示する第２の表示処理ステップと、
前記第２の表示処理ステップにより表示された選択肢のうち撮影者により選択された選択肢に基づいて次回の撮影のためのパラメータの設定または撮影に関するパラメータのガイド表示の少なくとも一方を含む支援を行う支援ステップと、を有し、
前記第２の表示処理ステップでは、前記取得ステップにより取得された位置情報が示す位置が、前記第１の表示処理ステップにより表示された画像の４頂点から所定範囲内である場合に、周辺光量補正の設定に関する選択肢を表示することを特徴とする撮像制御装置の制御方法。
【請求項２０】
コンピュータを、請求項１ないし１６の何れか１項に記載された撮像制御装置の各手段として機能させるためのプログラム。
【請求項２１】
コンピュータを、請求項１ないし１６の何れか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置、その制御方法、プログラムおよび記録媒体に関するものである。
【背景技術】
【０００２】
デジタルカメラ等の撮像制御装置のなかには、撮影者に操作方法や機能の説明、撮影のアドバイスあるいはヘルプでの検索等ができるものが知られている。しかしながら、これらの撮像制御装置はある程度カメラの機能や用語を理解している撮影者が使用することを前提としており、初心者が使用するには不向きであった。すなわち、初心者は、撮影した画像に不満がある場合、所望した仕上がりと異なることは分かるが、どのようにカメラの設定を変更すればよいのかが分からないという問題がある。
【０００３】
特許文献１には、失敗カメラ制御情報と関連させて撮影をうまくいくように改善する方法を示す救済情報を記憶した救済情報データベースから、検索された失敗カメラ制御情報に関連する救済情報を選択して提供する撮影補助方法が開示されている。
特許文献２には、複数のサンプル画像から選択されたサンプル画像に対応付けられた撮影条件を設定する電子カメラが開示されている。
特許文献３には、ライブビュー画像のうち画質処理を行いたいと所望する範囲をタッチすることで、画像データに対して施される画質処理が表示され、選択された画質処理を設定できる撮像装置が開示されている。
【先行技術文献】
【特許文献】
【０００４】
【特許文献１】特開２００４−１２８７０１号公報
【特許文献２】特開２００２−１５２５８６号公報
【特許文献３】特開２０１３−１７２１８号公報
【発明の概要】
【発明が解決しようとする課題】
【０００５】
しかしながら、特許文献１の撮影補助方法では、ユーザ別に失敗カメラ制御情報と救済情報とを関連付けておき、ユーザが過去に撮影した画像が失敗であるか否かを判断しておく必要がある。したがって、特許文献１の撮影補助方法では、失敗した画像を蓄積するまで救済情報を得ることができない。
また、特許文献２の電子カメラでは、所望のサンプル画像に到達するのに時間がかかったり、撮影状況に対応したサンプル画像がなかったりする場合があり、撮影した画像の不満を解消できないことがある。
【０００６】
特許文献３の撮像装置では、ライブビュー画像に対してタッチするため、ライブビュー画像では撮影者の不満がなくても撮影時のラッシュ発光や画像処理等によって撮影後の画像が所望する仕上がりの画像にならない場合がある。
【０００７】
本発明は、上述したような問題点に鑑みてなされたものであり、撮影後の画像に対する撮影者の要望を反映させた画像を取得できるようにすることを目的とする。
【課題を解決するための手段】
【０００８】
本発明は、撮影者の操作に応じて撮像手段に対して画像の撮影を指示する指示手段と、前記指示手段による指示に応じて前記撮像手段により撮影された画像を表示する第１の表示処理手段と、前記第１の表示処理手段により表示された画像に対して撮影者により入力された位置情報を取得する取得手段と、前記取得手段により取得された位置情報に基づく選択肢を表示する第２の表示処理手段と、前記第２の表示処理手段により表示された選択肢のうち撮影者により選択された選択肢に基づいて次回の撮影のためのパラメータの設定または撮影に関するパラメータのガイド表示の少なくとも一方を含む支援を行う支援手段と、を有し、前記第２の表示処理手段は、前記取得手段により取得された位置情報が示す位置が、前記第１の表示処理手段により表示された画像における合焦位置から閾値以内である場合に、露出補正値の設定に関する選択肢を表示することを特徴とする。
【発明の効果】
【０００９】
本発明によれば、撮影後の画像に対する撮影者の要望を反映させた画像を取得することができる。
【図面の簡単な説明】
【００１０】
【図１】デジタルカメラの外観図である。
【図２】デジタルカメラのブロック図である。
【図３】座標系を説明するための図である。
【図４】第１の実施形態の撮像制御装置の処理を示すフローチャートである。
【図５】オートフォーカスおよび測光演算の処理を示すフローチャートである。
【図６】シャッター速度および絞り値のプログラム線を示す図である。
【図７】表示部に表示される一例を示す図である。
【図８】撮像制御装置の処理を示すフローチャートである。
【図９】タッチ位置と撮影者の要望との関係を示す図である。
【図１０】第１の実施形態の撮像制御装置の処理を示すフローチャートである。
【図１１】第２の実施形態の撮像制御装置の処理を示すフローチャートである。
【図１２】表示部に表示される一例を示す図である。
【図１３】第２の実施形態の撮像制御装置の処理を示すフローチャートである。
【発明を実施するための形態】
【００１１】
以下、本発明の好ましい実施形態について添付の図面に基づいて詳細に説明する。
（第１の実施形態）
図１（ａ）、（ｂ）は、撮像制御装置の一例としてデジタルカメラ１００の外観図を示す。図１（ａ）はデジタルカメラ１００の前面斜視図であり、図１（ｂ）はデジタルカメラ１００の背面斜視図である。
デジタルカメラ１００は、上面にシャッターボタン１０１、メイン電子ダイヤル１０２、モード切替スイッチ１０３、フラッシュ１０４等を備えている。シャッターボタン１０１は、撮影の準備を指示したり、撮影を指示したりするためのボタンである。シャッターボタン１０１は、指示手段の一例に対応する。メイン電子ダイヤル１０２は、シャッター速度や絞り等の設定値を変更するための回転式のダイヤルである。モード切替スイッチ１０３は、各種モードを切替えるための回転式のスイッチある。モード切替スイッチ１０３により静止画撮影モード、動画撮影モード等に切替えられる。フラッシュ１０４は、デジタルカメラ１００に内蔵された閃光装置である。
【００１２】
また、デジタルカメラ１００は、背面に表示部１０５、電源スイッチ１０６、サブ電子ダイヤル１０７、十字キー１０８、ＳＥＴボタン１０９、ＬＶボタン１１０、拡大ボタン１１１、再生ボタン１１２、ＭＥＮＵボタン１１３、接眼ファインダ１１４等を備える。表示部１０５は、画像や各種情報を表示する。電源スイッチ１０６は、デジタルカメラ１００の電源のオンおよびオフを切替えるスイッチである。サブ電子ダイヤル１０７は、選択枠の移動や画像送り等を行うための回転式のダイヤルである。十字キー１０８は、上下左右にそれぞれ押下可能なキーであり、押下した位置に応じた操作が可能である。ＳＥＴボタン１０９は、主に選択項目を決定するときに押下されるボタンである。ＬＶボタン１１０は、静止画撮影モードにおいてライブビュー表示のオンとオフとを切替えるためのボタンである。また、動画撮影モードにおいては、動画撮影（記録）の開始および停止を指示するときに用いられる。拡大ボタン１１１は、ライブビュー表示において拡大モードのオン、オフおよび拡大モード中の拡大率を変更するためのボタンである。また、再生モードにおいては、再生画像の拡大率を増加させるときに用いられる。再生ボタン１１２は、撮影モードと再生モードとを切替えるためのボタンである。撮影モード中に再生ボタン１１２が押下されることで、再生モードに切替えられ、表示部１０５に記録媒体に記録された画像のうち最新の画像が表示される。ＭＥＮＵボタン１１３は、撮影モードとメニューモードとを切替えるためのボタンである。接眼ファインダ１１４は、被写体の光学像の焦点や構図の確認を行うための覗き込み型のファインダである。
【００１３】
また、デジタルカメラ１００の右側にはグリップ部１１５、蓋部１１６等を備え、左側には端子カバー１１７等を備える。グリップ部１１５は、撮影者がデジタルカメラ１００を構えたときに右手で握り易いように形成された保持部である。蓋部１１６は、記録媒体を格納するスロットを閉塞するための蓋である。端子カバー１１７は、外部機器の接続ケーブル等を接続するコネクタを保護するためのカバーである。
また、デジタルカメラ１００の内部には、アクチュエータによってアップダウンされるクイックリターンミラー１１８が配置される。また、デジタルカメラ１００には、着脱可能なレンズユニットと通信するための通信端子１１９を備える。
【００１４】
図２は、デジタルカメラ１００の内部構成を示す図である。なお、図１と同一の構成は、同一符号を付してその説明を適宜、省略する。デジタルカメラ１００は、着脱可能なレンズユニット２０１が装着される。
まず、レンズユニット２０１について説明する。
レンズユニット２０１は、絞り２０２、レンズ群２０３、絞り駆動回路２０４、ＡＦ（オートフォーカス）駆動回路２０５、レンズ制御部２０６、通信端子２０７等を有する。絞り２０２は、開口径が調整可能に構成される。レンズ群２０３は、複数枚のレンズから構成される。絞り駆動回路２０４は、絞り２０２の開口径を制御することで光量を調整する。ＡＦ駆動回路２０５は、レンズ群２０３を駆動させて焦点を合わせる。レンズ制御部２０６は、後述するシステム制御部の指示に基づいて、絞り駆動回路２０４、ＡＦ駆動回路２０５等を制御する。レンズ制御部２０６は、デジタルカメラ１００との間で通信可能である。具体的には、レンズユニット２０１の通信端子２０７と、デジタルカメラ１００の通信端子１１９とを介して通信される。
【００１５】
次に、デジタルカメラ１００について説明する。
デジタルカメラ１００は、クイックリターンミラー１１８、フォーカシングスクリーン２０８、ペンタプリズム２０９、ＡＥ（自動露出）センサ２１０、焦点検出部２１１、接眼ファインダ１１４、シャッター２１２、撮像部２１３、システム制御部２１４を有する。
クイックリターンミラー１１８（以下、ミラー１１８）は、露光、ライブビュー表示、動画撮影をする場合に、システム制御部２１４の指示に基づいてアクチュエータによりアップダウンされる。ミラー１１８は、レンズ群２０３から入射した光束を接眼ファインダ１１４側または撮像部２１３側に切替える。通常の場合には、ミラー１１８は光束を接眼ファインダ１１４側に導くように配置される。一方、撮影する場合やライブビュー表示する場合には、ミラー１１８は光束を撮像部２１３に導くように上方に跳ね上がり待避する（ミラーアップ）。また、ミラー１１８は、中央部が光の一部を透過するハーフミラーで構成され、光束の一部が焦点検出を行うための焦点検出部２１１に入射するように透過させる。ＡＥセンサ２１０は、ミラー１１８によって接眼ファインダ１１４側に導かれた光束に基づいて被写体の輝度を測光する。焦点検出部２１１は、ミラー１１８により透過された光束に基づいてデフォーカス量を検出する。システム制御部２１４はデフォーカス量に基づいてレンズユニット２０１を制御し、位相差ＡＦを行う。撮影者は、ペンタプリズム２０９と接眼ファインダ１１４を介して、フォーカシングスクリーン２０８を観察することで、レンズユニット２０１を通して得た被写体の光学像の焦点や構図を確認することができる。シャッター２１２は、システム制御部２１４の指示に基づいて撮像部２１３の露光時間を自由に制御できるフォーカルプレーンシャッターである。撮像部２１３は、光学像を電気信号に変換するＣＣＤやＣＭＯＳ素子等で構成される撮像素子である。撮像部２１３は、撮像手段の一例に対応する。
【００１６】
また、デジタルカメラ１００は、Ａ／Ｄ変換器２１５、メモリ制御部２１６、画像処理部２１７、メモリ２１８、Ｄ／Ａ変換器２１９、表示部１０５を有する。
Ａ／Ｄ変換器２１５は、撮像部２１３から出力されるアナログ信号をデジタル信号に変換する。画像処理部２１７は、Ａ／Ｄ変換器２１５からのデータまたはメモリ制御部２１６からのデータに対し所定の画素補間、縮小といったリサイズ処理や色変換処理を行う。また、画像処理部２１７では、撮影した画像データを用いて所定の演算処理が行われ、得られた演算結果に基づいてシステム制御部２１４が露光制御、測距制御を行う。この処理により、ＴＴＬ（スルー・ザ・レンズ）方式のＡＦ処理、ＡＥ処理、ＥＦ（フラッシュプリ発光）処理が行われる。更に、画像処理部２１７では、撮影した画像データを用いて所定の演算処理を行い、得られた演算結果に基づいてＴＴＬ方式のＡＷＢ（オートホワイトバランス）処理も行っている。
【００１７】
Ａ／Ｄ変換器２１５からの画像データは、画像処理部２１７およびメモリ制御部２１６を介して、または、メモリ制御部２１６を介してメモリ２１８に直接書き込まれる。メモリ２１８は、撮像部２１３によって得られＡ／Ｄ変換器２１５によりデジタルデータに変換された画像データや、表示部１０５に表示するための画像データを格納する。メモリ２１８は、所定枚数の静止画像や所定時間の動画および音声を格納するのに十分な記憶容量を備えている。また、メモリ２１８は、画像表示用のメモリ（ビデオメモリ）を兼ねている。
【００１８】
Ｄ／Ａ変換器２１９は、メモリ２１８に格納されている表示用の画像データをアナログ信号に変換して表示部１０５に供給する。したがって、メモリ２１８に書き込まれた表示用の画像データは、Ｄ／Ａ変換器２１９を介して表示部１０５により表示される。表示部１０５は、ＬＣＤ等の表示器上にＤ／Ａ変換器２１９からのアナログ信号に応じた表示を行う。Ａ／Ｄ変換器２１５によって一度Ａ／Ｄ変換されメモリ２１８に蓄積されたデジタル信号をＤ／Ａ変換器２１９においてアナログ変換し、表示部１０５に逐次転送して表示することでスルー表示（ライブビュー表示）でき、電子ビューファインダとして機能する。
【００１９】
また、デジタルカメラ１００は、不揮発性メモリ２２０、システムメモリ２２１、システムタイマー２２２、フラッシュ制御回路２２３を有する。
不揮発性メモリ２２０は、電気的に消去・記録可能なメモリであり、例えばＥＥＰＲＯＭ等が用いられる。不揮発性メモリ２２０には、システム制御部２１４の動作用の定数、プログラム等が記憶される。このプログラムは、後述する各フローチャートを実行するためのプログラムである。
【００２０】
なお、システム制御部２１４は、デジタルカメラ１００全体を制御する。システム制御部２１４が不揮発性メモリ２２０に記録されたプログラムを実行することで、後述する各処理を実現する。システムメモリ２２１は、例えばＲＡＭが用いられる。システムメモリ２２１には、システム制御部２１４の動作用の定数、変数、不揮発性メモリ２２０から読み出したプログラム等を展開する。また、システム制御部２１４は、メモリ２１８、Ｄ／Ａ変換器２１９、表示部１０５等を制御することにより表示制御も行う。
システムタイマー２２２は、各種制御に用いる時間や、内蔵された時計の時間を計測する計時部である。フラッシュ制御回路２２３は、フラッシュ１０４のポップアップ、発光タイミング、発光量等の制御をする。
【００２１】
また、デジタルカメラ１００は、モード切替スイッチ１０３、第１シャッタースイッチ２２４、第２シャッタースイッチ２２５、操作部２２６等のシステム制御部２１４に各種の動作指示を入力するための操作手段を有する。
モード切替スイッチ１０３は、動作モードを静止画撮影モード、動画撮影モード、再生モードに切替えることができる。システム制御部２１４は、モード切替スイッチ１０３により切替えられたモードを設定する。静止画撮影モードに含まれるモードには、オート撮影モード、オートシーン判別モード、マニュアルモード、絞り優先モード（Ａｖモード）、シャッター速度優先モード（Ｔｖモード）がある。その他、静止画撮影モードに含まれるモードには、撮影シーン別の撮影設定となる各種シーンモード、プログラムＡＥモード、カスタムモード等がある。モード切替スイッチ１０３により、静止画撮影モードに含まれる上述したモードの何れかに直接切替えることができる。また、モード切替スイッチ１０３で静止画撮影モードに一旦、切替えた後に、静止画撮影モードに含まれる上述したモードの何れかに他の操作部を用いて切替えてもよい。同様に、動画撮影モードにも複数のモードが含まれていてもよい。
【００２２】
第１シャッタースイッチ２２４は、シャッターボタン１０１の操作途中、いわゆる半押し（撮影準備指示）でオンとなり、第１シャッタースイッチ信号ＳＷ１を発生させる。システム制御部２１４は、第１シャッタースイッチ信号ＳＷ１により、ＡＦ処理、ＡＥ処理、ＡＷＢ処理、ＥＦ処理等の動作を開始する。第１シャッタースイッチ２２４は、撮影の準備を指示する第１の指示手段の一例に対応する。
第２シャッタースイッチ２２５は、シャッターボタン１０１の操作完了、いわゆる全押し（撮影指示）でオンとなり、第２シャッタースイッチ信号ＳＷ２を発生させる。システム制御部２１４は、第２シャッタースイッチ信号ＳＷ２により、撮像部２１３からの信号読み出しから記録媒体２２８に画像データを書き込むまでの一連の撮影処理の動作を開始する。第２シャッタースイッチ２２５は、撮影を指示する第２の指示手段の一例に対応する。
【００２３】
操作部２２６は、撮影者の操作を受け付ける入力部としての各種操作部材である。操作部２２６は、表示部１０５に表示される種々の機能アイコンを選択操作すること等により、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、ＭＥＮＵボタン１１３が押下されると各種の設定可能なメニュー画面が表示部１０５に表示される。撮影者は表示部１０５に表示されたメニュー画面と、十字キー１０８およびＳＥＴボタン１０９とを用いて直感的に各種設定を行うことができる。操作部２２６には、例えば、シャッターボタン１０１、メイン電子ダイヤル１０２、電源スイッチ１０６、サブ電子ダイヤル１０７、十字キー１０８、ＳＥＴボタン１０９、ＬＶボタン１１０、拡大ボタン１１１、再生ボタン１１２等も含まれる。
【００２４】
なお、操作部２２６の一つとして、表示部１０５に対する接触を検知可能なタッチパネル２２７を有する。タッチパネル２２７と表示部１０５とは一体的に構成することができる。例えば、光の透過率が表示部１０５の表示を妨げないように、タッチパネル２２７を表示部１０５の表示面の上層に取り付ける。そして、タッチパネル２２７における入力座標と、表示部１０５上の表示座標とを対応付けることで、あたかも撮影者が表示部１０５上に表示された画面を直接的に操作可能であるかのようなＧＵＩを構成することができる。タッチパネル２２７には、抵抗膜方式や静電容量方式、表面弾性波方式、赤外線方式、電磁誘導方式、画像認識方式、光センサ方式等の様々な方式のうち何れかの方式を用いることができる。
【００２５】
システム制御部２１４はタッチパネル２２７への以下の操作を検出できる。タッチパネル２２７を指やペンで触れたこと（以下、タッチダウンと称する）。タッチパネル２２７を指やペンで触れている状態であること（以下、タッチオンと称する）。タッチパネル２２７を指やペンで触れたまま移動していること（以下、タッチムーブと称する）。タッチパネル２２７へ触れていた指やペンを離したこと（以下、タッチアップと称する）。タッチパネル２２７に何も触れていない状態（以下、タッチオフと称する）。これらの操作や、タッチパネル２２７上に指やペンが触れている座標位置は内部バスを通じてシステム制御部２１４に通知され、システム制御部２１４は通知された情報に基づいてタッチパネル２２７上にどのような操作が行なわれたかを判定する。タッチムーブについてはタッチパネル２２７上で移動する指やペンの移動方向についても、座標位置の変化に基づいて、タッチパネル２２７上の垂直成分・水平成分毎に判定できる。またタッチパネル２２７上をタッチダウンから一定のタッチムーブを経てタッチアップをしたとき、ストロークを描いたこととする。素早くストロークを描く操作をフリックと呼ぶ。フリックは、タッチパネル２２７上に指を触れたままある程度の距離だけ素早く動かして、そのまま離すといった操作であり、言い換えればタッチパネル２２７上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。
【００２６】
また、デジタルカメラ１００は、電源制御部２２９、電源部２３０、記録媒体Ｉ／Ｆ２３１等を有する。
電源制御部２２９は、電池検出回路、ＤＣ−ＤＣコンバータ、通電するブロックを切替えるスイッチ回路等により構成され、電池の装着の有無、電池の種類、電池残量の検出を行う。また、電源制御部２２９は、その検出結果およびシステム制御部２１４の指示に基づいてＤＣ−ＤＣコンバータを制御し、必要な電圧を必要な期間、記録媒体２２８を含む各部へ供給する。電源部２３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２３１は、メモリカードやハードディスク等の記録媒体２２８とのインターフェースである。記録媒体２２８は、撮影された画像を記録するためのメモリカード等の記録媒体であり、半導体メモリや磁気ディスク等から構成される。
【００２７】
次に、デジタルカメラ１００の処理を説明する前に座標系について説明する。
ここでは、フォーカシングスクリーン２０８、表示部１０５、撮像部２１３および生成される画像のアスペクトは、１３５フィルムと同じ３：２の画角であるために全て同じ座標系で正規化して表現する。図３では、横軸ｘ、縦軸ｙ、座標（ｘ、ｙ）とし、中心を原点（０、０）としている。ここで、座標は横軸−１．５〜＋１．５、縦軸−１〜＋１と表すことができる。例えば、撮像される範囲（画像上）の右上隅の座標は（１．５、１．０）、右下隅は（１．５、−１．０）と表すことができる。
【００２８】
図３に示すように、焦点を合わせる位置（焦点調節位置）を示す測距点がＡＦＰ１〜ＡＦＰ９のように９点配置されている場合、例えば、ＡＦＰ１は（−０．６、０．５）、ＡＦＰ５は（０、０）、ＡＦＰ９は（０．６、−０．５）と表すことができる。
また、写真表現として主被写体は黄金分割枠内（黄金比で分割した枠内）に配置することが好ましいとする構図法が知られている。ここで、図３に示すように、黄金分割枠をＧ−ＡＲＥＡとすると、例えば、Ｇ−ＡＲＥＡの範囲のうち右上の座標は（０．９、０．６）、左下の座標は（−０．９、−０．６）と表すことができる。
また、図３に示すように、ＣＩＲＣＬＥは原点を中心として一部が画角（撮像される範囲）をはみ出す円である。ここでは、例えば、半径が１．６の円を表している。
なお、以下に示す変数のうちＰＯＳを含む変数は、ｘ座標、ｙ座標の２つの要素からなる座標位置を示している。
【００２９】
図４は、デジタルカメラ１００の処理を示すフローチャートである。図４のフローチャートにおける各処理は、システム制御部２１４が不揮発性メモリ２２０に格納されたプログラムをシステムメモリ２２１に展開して実行することにより実現される。図４のフローチャートは、電源スイッチ１０６がオンされることで電源制御部２２９が起動し、システム制御部２１４に給電されることで開始される。
Ｓ４０１では、システム制御部２１４は撮影に関する各種パラメータを初期化する。具体的には、システム制御部２１４はシステムメモリ２２１に記憶されている、変数ＡＦＰ、変数ＰＲＯＧ、変数ＥＸＰＡＤＪ、変数ＦＬＳ、変数ＰＡＲＡＭ、変数ＷＢ、変数ＷＢＡＤＪ、変数ＶＩＧＡＤＪを初期化する。
【００３０】
ここで、変数ＡＦＰはオートフォーカスの測距点番号を記憶する変数である。初期値は０であり、自動選択を示すＡｕｔｏが格納される。例えば、変数ＡＰＦに１が格納された場合には測距点のＡＰＦ１を表す。
変数ＰＲＯＧは、自動露出でのシャッター速度および絞り値を演算するためのプログラム（プログラム線図）の種類を記憶する変数である。初期値は「標準」が格納される。
変数ＥＸＰＡＤＪは、露出補正量を記憶する変数である。初期値は０が格納される。
変数ＦＬＳは、内蔵フラッシュの制御を記憶する変数である。自動発光のときにはＡｕｔｏ、発光禁止のときにはＯＦＦが格納される。初期値はＡｕｔｏが格納される。
変数ＰＡＲＡＭは、現像パラメータの種類を記憶する変数である。初期値はＡｕｔｏが格納される。
変数ＷＢは、ホワイトバランスの種類を記憶する変数である。初期値はＡｕｔｏが格納される。
変数ＷＢＡＤＪは、ホワイトバランス補正量を記憶する変数である。初期値は０が格納される。
変数ＶＩＧＡＤＪは、周辺光量補正の有無を記憶する変数である。初期値はＯＦＦが格納される。
【００３１】
Ｓ４０２では、システム制御部２１４はタイマーをクリアにする。具体的には、システム制御部２１４はシステムタイマー２２２をリセットする。
Ｓ４０３では、システム制御部２１４は第１シャッタースイッチ信号ＳＷ１が発生したか否か、すなわち第１シャッタースイッチ２２４が操作（シャッターボタン１０１が半押し）されたか否かを判定する。第１シャッタースイッチ信号ＳＷ１が発生した場合にはＳ４０４に進み、発生していない場合にはＳ４１０に進む。
Ｓ４０４では、システム制御部２１４はオートフォーカスの処理を実行する。ここで、オートフォーカスの処理について図５（ａ）のフローチャートを参照して説明する。図５の各フローチャートにおける各処理は、システム制御部２１４が不揮発性メモリ２２０に格納されたプログラムをシステムメモリ２２１に展開して実行することにより実現される。
【００３２】
Ｓ５０１では、システム制御部２１４は測距点に自動選択が設定されているかを判定する。具体的には、システム制御部２１４は変数ＡＦＰが０、すなわちＡｕｔｏが格納されているか否かを判定する。自動選択である場合にはＳ５０２に進み、自動選択ではない場合にはＳ５０４に進む。ここではＳ４０１において変数ＡＦＰにＡｕｔｏが格納されているのでＳ５０２に進む。
Ｓ５０２では、システム制御部２１４は測距点を選択してオートフォーカスを実行する。具体的には、システム制御部２１４は焦点検出部２１１を介して９点の測距点の全てで測距し、最も信頼度の高い測距点を選択してデフォーカス量を検出する。システム制御部２１４はレンズ制御部２０６を介してレンズ群２０３を駆動するように指示することで、レンズ群２０３を合焦位置まで移動する。
Ｓ５０３では、システム制御部２１４は合焦した測距点の位置（合焦位置）を記憶する。具体的には、システム制御部２１４はシステムメモリ２２１に記憶される変数ＪＦＰＯＳに合焦した測距点の座標を格納する。
【００３３】
一方、Ｓ５０１からＳ５０４に進んだ場合、システム制御部２１４は設定されている測距点でオートフォーカスを実行する。具体的には、システム制御部２１４は変数ＡＦＰに格納された測距点を読み出し、読み出した測距点で測距し、システム制御部２１４はレンズ制御部２０６を介してレンズ群２０３を駆動するように指示することで、レンズ群２０３を合焦位置まで移動する。
Ｓ５０５では、システム制御部２１４はシステムメモリ２２１に記憶される変数ＪＦＰＯＳに合焦した測距点の座標を格納する。
その後、図４のフローチャートに戻り、Ｓ４０５に進む。
Ｓ４０５では、システム制御部２１４は測光演算を実行する。ここで、測光演算について図５（ｂ）のフローチャートを参照して説明する。
【００３４】
Ｓ５０６では、システム制御部２１４は被写体の明るさを測光する。具体的には、システム制御部２１４はＡＥセンサ２１０を介して被写体の明るさを測光し、測光結果をシステムメモリ２２１に記憶される変数Ｂｖに格納する。
Ｓ５０７では、システム制御部２１４は露出値を算出する。具体的には、システム制御部２１４は露出値ＥｖをＥｖ＝Ｂｖ＋Ｓｖ−ＥＸＰＡＤＪの式を用いて算出する。ＳｖはいわゆるＩＳＯ感度である。ここで、Ｂｖ＋Ｓｖによって適正露光の露出値が得られ、露出補正量の変数ＥＸＰＡＤＪで減算することで明るさが補正される。なお、Ｓ４０１では変数ＥＸＰＡＤＪに０が格納されている。
【００３５】
Ｓ５０８では、システム制御部２１４は変数ＰＲＯＧに「標準」が格納されているか否かを判定する。「標準」が格納されている場合にはＳ５０９に進み、「標準」が格納されていない場合にはＳ５１０に進む。
Ｓ５０９では、システム制御部２１４は標準プログラムに基づいてシャッター速度と絞り値とを演算する。図６は、シャッター速度および絞り値を算出するための、標準プログラム線６０１、絞り値Ｆ１．８優先プログラム線６０２、絞り値Ｆ１６優先プログラム線６０３を示す図である。標準プログラム線６０１は、シャッター速度１／８、絞り値Ｆ１．４から４５度で立ち上がっている。システム制御部２１４はＳ５０７で算出した露出値Ｅｖから標準プログラム線６０１に従ってシャッター速度Ｔｖと絞り値Ａｖとを演算する。
【００３６】
Ｓ５１０では、システム制御部２１４は変数ＰＲＯＧにＦ１．８が格納されているか否かを判定する。Ｆ１．８が格納されている場合にはＳ５１１に進み、Ｆ１．８が格納されていない場合にはＳ５１２に進む。
Ｓ５１１では、システム制御部２１４はＳ５０７で算出した露出値Ｅｖから図６の絞り値Ｆ１．８優先プログラム線６０２に従ってシャッター速度と絞り値とを演算する。
Ｓ５１２では、システム制御部２１４はＳ５０７で算出した露出値Ｅｖから図６の絞り値Ｆ１６優先プログラム線６０３に従ってシャッター速度と絞り値とを演算する。
このように、システム制御部２１４は被写体の明るさを測光して、シャッター速度と絞り値とを演算する。
その後、図４のフローチャートに戻り、Ｓ４０６に進む。
【００３７】
Ｓ４０６では、システム制御部２１４はフラッシュの設定および露出値が所定の条件であるか否かを判定する。具体的には、システム制御部２１４は変数ＦＬＳにＡｕｔｏが格納され、かつ、露出値Ｅｖが所定値よりも小さいか否かを判定する。ここで、所定値とは例えばＥｖ３である。露出値Ｅｖが所定値よりも小さい場合とは被写体が暗い場合を想定している。この条件を満たす場合にはＳ４０７に進み、この条件を満たさない場合にはＳ４０８に進む。なお、所定の条件は、この場合に限られず、変数ＦＬＳにＡｕｔｏが格納され、かつ、逆光である場合や逆光により被写体が影になるのを防止するためのフラッシュ発光を行う、いわゆるフィルインフラッシュが設定されている場合にＳ４０７に進むようにしてもよい。
【００３８】
Ｓ４０７では、システム制御部２１４はフラッシュ制御回路２２３を介してフラッシュ１０４をポップアップさせる。
Ｓ４０８では、システム制御部２１４はタイマーをクリアにする。具体的には、システム制御部２１４はシステムタイマー２２２をリセットする。
Ｓ４０９では、システム制御部２１４は第２シャッタースイッチ信号ＳＷ２が発生したか否か、すなわち第２シャッタースイッチ２２５が操作（シャッターボタン１０１が全押し）されたか否かを判定する。第２シャッタースイッチ信号ＳＷ２が発生していない場合にはＳ４０３に戻る。
したがって、シャッターボタン１０１を半押しされている間、システム制御部２１４はオートフォーカスおよび測光演算を繰り返し行う。一方、Ｓ４０３においてシャッターボタン１０１から指を離して半押しを解除することで、システム制御部２１４は第１シャッタースイッチ信号ＳＷ１が発生していないと判定し、Ｓ４１０に進む。
【００３９】
Ｓ４１０では、システム制御部２１４はシステムタイマー２２２がタイマーをクリアしてから所定の時間が経過したか否かを判定する。ここで、所定の時間とは例えば６秒である。所定の時間が経過していない場合にはＳ４１１に進み、所定の時間が経過している場合にはフローチャートの処理を終了する。
Ｓ４１１では、システム制御部２１４は測光演算を実行する。この処理は、Ｓ４０５と同様の処理であり、その説明を省略する。
【００４０】
このように、シャッターボタン１０１から指を離すことで、Ｓ４１０、Ｓ４１１、Ｓ４０９を繰り返し実行し、測光演算のみを行う。その後、システム制御部２１４はシステムタイマー２２２により所定の時間が経過することでフローチャートの処理を終了する。
【００４１】
一方、Ｓ４０９において、第２シャッタースイッチ信号ＳＷ２が発生した場合、すなわち第２シャッタースイッチ２２５が操作（シャッターボタン１０１が全押し）された場合には、Ｓ４１３に進む。
Ｓ４１３では、システム制御部２１４はアクチュエータを介してミラー１１８を上方に跳ね上げると共に、レンズ制御部２０６および絞り駆動回路２０４を介して絞り２０２をＳ４０５で演算した絞り値Ａｖにする。
【００４２】
Ｓ４１４では、システム制御部２１４はフラッシュ１０４がポップアップされているか否かを判定する。ポップアップされている場合にはＳ４１５に進み、ポップアップされていない場合にはＳ４１７に進む。
Ｓ４１５では、システム制御部２１４はフラッシュの設定および露出値が所定の条件であるか否かを判定する。具体的には、システム制御部２１４は、変数ＦＬＳにＡｕｔｏが格納され、かつ、露出値Ｅｖが所定値よりも小さいか否かを判定する。この処理は、Ｓ４０６と同一の処理である。この条件を満たす場合にはＳ４１６に進み、この条件を満たさない場合にはＳ４１７に進む。
【００４３】
Ｓ４１６では、システム制御部２１４はフラッシュ制御回路２２３に発光を準備させる。具体的には、システム制御部２１４は発光済み判定フラグＦＬＳＥＭにＹＥＳを格納する。ここでは、フラッシュ１０４がポップアップされ、かつ最後に測光した露出値Ｅｖが所定値よりも小さく被写体が暗いと判定した場合にのみステップ４１６に進む。すなわち、ポップアップした時点では被写体が暗いと判定しても、被写体の条件が変化して明るくなる場合がある。この場合にはフラッシュ１０４を発光させる必要がないため、再度、条件を満たすか否かを判定する。
Ｓ４１７では、システム制御部２１４はフラッシュ制御回路２２３にフラッシュ１０４が発光しないように設定する。具体的には、システム制御部２１４は発光済み判定フラグＦＬＳＥＭＩＴにＮＯを格納する。
【００４４】
Ｓ４１８では、システム制御部２１４は撮像部２１３への露光および撮像部２１３からの読み出しを開始する。具体的には、システム制御部２１４は撮像部２１３に電荷を蓄積させるように指示した後、シャッター２１２の先幕を走行させる。Ｓ４１６においてフラッシュ制御回路２２３に発光を準備させた場合、システム制御部２１４は先幕の走行が終了したときにフラッシュ制御回路２２３を介してフラッシュ発光を開始する。Ｓ４０５で演算したシャッター速度での時間だけ露光すると、システム制御部２１４はシャッター２１２の後幕を走行させ、撮像部２１３を遮光して露光を終了する。システム制御部２１４は露光が終了すると、Ａ／Ｄ変換器２１５を駆動させて撮像部２１３に蓄積された画像信号を読み出しデジタル信号に変換して、メモリ制御部２１６にＲＡＷ画像として格納する。
【００４５】
Ｓ４１９では、システム制御部２１４はミラー１１８をダウンさせると共に、絞り２０２を開放する。具体的には、システム制御部２１４はレンズ制御部２０６に絞り２０２の開放を指示することにより、絞り駆動回路２０４が絞り２０２を開放状態に駆動する。
Ｓ４２０では、システム制御部２１４は現像する。具体的には、システム制御部２１４はメモリ制御部２１６に格納されたＲＡＷ画像を読み出し、画像処理部２１７を介して色補間処理、ホワイトバランス処理、色補正等の画像処理を行う。このとき、画像処理部２１７は、現像パラメータの種類を選択させる変数ＰＡＲＡＭ、ホワイトバランスの種類の変数ＷＢ、および、ホワイトバランス補正量の変数ＷＢＡＤＪを用いて画像処理を行う。なお、Ｓ４０１では、変数ＰＡＲＡＭおよび変数ＷＢにＡｕｔｏ、変数ＷＢＡＤＪに０が格納されているため、画像処理部２１７は標準の色補正処理、オートホワイトバランスおよびホワイトバランスの補正なしで画像処理を行う。
【００４６】
Ｓ４２１では、システム制御部２１４は周辺光量を補正するか否かを判定する。具体的には、システム制御部２１４は変数ＶＩＧＡＤＪにＯＮが格納されているか否かを判定する。ＯＮが格納されている場合にはＳ４２２に進み、ＯＦＦが格納されている場合にはＳ４２３に進む。なお、Ｓ４０１では、変数ＶＩＧＡＤＪにＯＦＦが格納されているためにＳ４２３に進む。
Ｓ４２２では、システム制御部２１４は画像処理部２１７を介して周辺光量を補正する。具体的には、システム制御部２１４は予め算出したレンズ群２０３の周辺減光量に基づいて画像データの周辺の輝度を上げることで周辺光量落ちを補正する。
【００４７】
Ｓ４２３では、システム制御部２１４は画像処理された画像データを保存する。具体的には、システム制御部２１４は画像データを例えばＪＰＥＧ形式で圧縮し、圧縮した画像データを記録媒体２２８に格納する。
Ｓ４２４では、システム制御部２１４は画像処理部２１７を介して画像データから顔検出を行う。具体的には、システム制御部２１４は対象とする画像データを画像処理部２１７に送信する。画像処理部２１７は画像データに水平方向バンドパスフィルタおよび垂直方向バンドパスフィルタを作用させ、画像データからエッジ成分を検出する。システム制御部２１４は検出されたエッジ成分に関してパターンマッチングを行い、目および鼻、口、耳の候補群を抽出する。システム制御部２１４は抽出した目の候補群の中から、予め設定された条件（例えば２つの目の距離、傾き等）を満たすものを、目の対と判断し、目の対があるもののみ目の候補群として絞り込む。システム制御部２１４は絞り込んだ目の候補群とそれに対応する顔を形成する他のパーツ（鼻、口、耳）を対応付け、また、予め設定した非顔条件フィルタを通すことで、顔を検出する。システム制御部２１４は顔の検出結果に応じて顔情報を出力し、処理を終了する。このとき、システム制御部２１４は、顔の数等の特徴量をシステムメモリ２２１に記憶すると共に、顔画像の位置を変数ＦＰＯＳに格納する。
以上のように、画像データを画像解析することで、画像データの特徴量を抽出して被写体情報を検出することができる。ここでは、被写体情報として顔情報を例に説明したが、被写体情報には他にも赤目判定や目の検出、目つむり検出、笑顔検出等の情報がある。
【００４８】
Ｓ４２５では、システム制御部２１４は画像解析を行う。具体的には、システム制御部２１４は画像処理した画像データを解析して、どのようなシーンで撮影されたかを判定し、判定したシーンを変数ＳＣＮに格納する。例えば、システム制御部２１４が夕焼けのシーンであると判定した場合、夕焼けのシーンである旨のシーン情報を変数ＳＣＮに格納する。
Ｓ４２６では、システム制御部２１４はクイックレビュー表示を行う。具体的には、図７（ａ）に示すように、システム制御部２１４は保存した画像データと、ヘルプアイコン７０１とを表示する。ここで、ヘルプアイコン７０１は、撮影者がデジタルカメラ１００に対して使用方法等で救済を求める場合に選択するアイコンである。
【００４９】
Ｓ４２７では、システム制御部２１４はタイマーをクリアにする。具体的には、システム制御部２１４はシステムタイマー２２２をリセットする。
Ｓ４２８では、システム制御部２１４はヘルプアイコン７０１が選択されたか否か、すなわちヘルプアイコン７０１がタッチされたか否かを判定する。タッチされていない場合にはＳ４２９に進む。
Ｓ４２９では、システム制御部２１４はシステムタイマー２２２がタイマーをクリアしてから所定の時間が経過したか否かを判定する。ここで、所定の時間とは例えば６秒である。所定の時間が経過していない場合にはＳ４２８に戻り、所定の時間が経過している場合にはＳ４０３に進む。したがって、ヘルプアイコン７０１がタッチされなければ所定の時間だけクイックレビュー表示をした後に、Ｓ４０３に戻る。
【００５０】
このようにして、自動選択でのオートフォーカス、標準プログラムでのシャッター速度および絞り値、自動でのフラッシュ発光で撮影され、標準の色補正処理、オートホワイトバランスの補正なしで画像処理された画像データが記録媒体２２８に保存される。ここで、クイックレビュー表示で画像を観察したときに、撮影者は所望した仕上がりと異なり不満を感じる場合がある。具体的な不満として、画像が暗い、自動選択で合焦された位置が所望の被写体ではない、フラッシュを発光すべきでなかった、ホワイトバランスが望んだ色になっていない、背景がはっきりしていない等が挙げられる。
【００５１】
このとき、上級者であればデジタルカメラ１００の設定を操作し、露出補正をかけたり、１点のオートフォースに切替えたり、ホワイトバランスの種類を変更したり、絞り優先モードに切替えたりすることで、所望する仕上がりに近づけていくことができる。
一方、初心者は露出補正、ホワイトバランス等の用語を理解していない場合があり、どのように設定すれば良いかが分からず、仕上がりに不満があっても対処方法が分からずに撮影を終了してしまうことがある。
【００５２】
本実施形態では、撮影後の画像のうち不満である位置をタッチすることで容易に所望する仕上がりに近づけることができる。以下、その詳細について説明する。ここでは、図４のＳ４２８においてヘルプアイコン７０１がタッチされることで、図８のフローチャートのＳ８０１に進む。図８のフローチャートにおける各処理は、システム制御部２１４が不揮発性メモリ２２０に格納されたプログラムをシステムメモリ２２１に展開して実行することにより実現される。
【００５３】
Ｓ８０１では、システム制御部２１４は保存した画像データを表示部１０５に表示する。この処理は、第１の表示処理手段による処理の一例である。
Ｓ８０２では、システム制御部２１４は表示部１０５がタッチされたか否か、具体的には表示部１０５に表示された画像がタッチされたか否かを判定する。ここで、撮影者は表示された画像のうち不満がある位置をタッチする。表示部１０５に表示された画像がタッチされた場合にはＳ８０３に進み、タッチされない場合にはタッチされるまで待機する。
このとき、表示部１０５に表示される画像はライブビュー表示の画像ではなく既に保存された画像データである。例えば従来のようにライブビュー表示の画像をタッチする場合には撮影者は一方の手でデジタルカメラ１００を所定のアングルに構えたまま他方の手でライブビュー画像をタッチする必要がある。一方、保存された画像データはライブビュー画像のように画像が変化することがないために撮影者はデジタルカメラ１００をタッチしやすい状態で保持することができる。
【００５４】
Ｓ８０３では、システム制御部２１４はタッチパネル２２７を介してタッチ位置の座標を取得する。システム制御部２１４は取得したタッチ位置の座標を変数ＴＰＯＳに格納する。この処理は、撮影者により入力された位置情報を取得する取得手段による処理の一例に対応する。
Ｓ８０４では、システム制御部２１４はタッチ位置が、検出された顔位置の近傍であるか否かを判定する。具体的には、システム制御部２１４は変数ＴＰＯＳと変数ＦＰＯＳとの間の距離を算出し、算出した距離が所定の閾値以内（第１の閾値）である場合には、タッチ位置が顔位置の近傍であると判定することができる。なお、閾値は、検出された顔の大きさに応じた値を用いることができる。タッチ位置が顔位置の近傍である場合にはＳ８０５に進み、近傍ではない場合にはＳ８２３に進む。
【００５５】
Ｓ８０５では、システム制御部２１４はタッチ位置が合焦した測距点の近傍であるか否かを判定する。具体的には、システム制御部２１４は変数ＴＰＯＳと変数ＪＦＰＯＳとの間の距離を算出し、算出した距離が所定の閾値以内（第２の閾値）である場合にはタッチ位置が測距点の近傍であると判定することができる。タッチ位置が測距点の近傍である場合にはＳ８０６に進み、近傍ではない場合にはＳ８２０に進む。
ここで、Ｓ８０４およびＳ８０５では、図７（ｂ）に示す女性の顔部分Ａにタッチしたか否かを判定している。顔であれば主被写体である可能性が高く、また顔に合焦している場合には、撮影者は主被写体の写真的パラメータに不満があると判定できる。なお、図７（ｂ）に示すＡ〜Ｆは、説明の便宜上で表示したものであって実際には表示されない。
【００５６】
Ｓ８０６では、システム制御部２１４は文字配列の変数ＣＯＬ（１）に「明るく・暗く」を格納する。
Ｓ８０７では、システム制御部２１４は文字配列の変数ＣＯＬ（２）に「色味」を格納する。
Ｓ８０８では、システム制御部２１４は文字配列の変数ＣＯＬ（３）に「肌を美しく」を格納する。
Ｓ８０６〜Ｓ８０８の処理は、タッチ位置に基づいて撮影者の要望を推定する推定手段による処理の一例に対応する。
【００５７】
Ｓ８０９では、システム制御部２１４は画像がフラッシュ発光されたものであるか否かを判定する。具体的には、システム制御部２１４は発光済み判定フラグＦＬＳＥＭＩＴがＹＥＳであるか否かを判定する。フラッシュ発光されていればＳ８１０に進み、フラッシュ発光されていなければＳ８１１に進む。
Ｓ８１０では、システム制御部２１４は文字配列の変数ＣＯＬ（３）に「フラッシュ禁止」を格納する。すなわち、システム制御部２１４は既に格納されている変数ＣＯＬ（３）の文字列を「フラッシュ禁止」に更新する。
Ｓ８０９〜Ｓ８１０の処理は、位置情報に加えて、撮影条件の一つであるフラッシュ発光の有無に基づいて撮影者の要望を推定する処理の一例である。
【００５８】
Ｓ８１１では、システム制御部２１４は表示部１０５に変数ＣＯＬ（１）〜（３）に格納された文字列を表示する。具体的には、図７（ｃ）に示すように、システム制御部２１４は画像に重畳させてタッチ位置から吹き出し７０２を表示し、吹き出し７０２内に変数ＣＯＬ（１）〜（３）の文字列を表示する。この処理は、第２の表示処理手段により処理の一例に対応する。例えば、フラッシュ発光なしの画像において合焦している顔をタッチした場合には、「明るく・暗く／色味／肌を美しく」が表示され、フラッシュ発光した画像において合焦している顔をタッチした場合には「明るく・暗く／色味／フラッシュ禁止」が表示される。このとき、吹き出し７０２をタッチ位置とは異なる位置に表示することで、撮影者がタッチ位置の画像を確認できるようにしている。なお、システム制御部２１４は変数ＣＯＬ（１）〜（３）の文字列がそれぞれ表示部１０５の何れの位置に表示されているかを認識している。
【００５９】
Ｓ８１２では、システム制御部２１４は表示部１０５がタッチされたか否かを判定する。タッチされた場合にはＳ８１３に進み、タッチされない場合にはタッチされるまで待機する。
Ｓ８１３では、システム制御部２１４はタッチパネル２２７を介してタッチ位置の座標を取得する。
Ｓ８１４では、システム制御部２１４は変数ＣＯＬ（１）の文字列が表示されている領域がタッチされた否かを判定する。タッチされた場合にはＳ８１５に進み、タッチされていない場合にはＳ８１６に進む。
Ｓ８１５では、システム制御部２１４は変数ＤＥＭにＣＯＬ（１）の文字列を格納する。例えば、図７（ｃ）の場合には、システム制御部２１４は変数ＤＥＭに「明るく・暗く」の文字列を格納する。その後、図１０のフローチャートに進む。
【００６０】
Ｓ８１６では、システム制御部２１４は変数ＣＯＬ（２）の文字列が表示されている領域がタッチされた否かを判定する。タッチされた場合にはＳ８１７に進み、タッチされていない場合にはＳ８１８に進む。
Ｓ８１７では、システム制御部２１４は変数ＤＥＭにＣＯＬ（２）の文字列を格納する。例えば、図７（ｃ）の場合には、システム制御部２１４は変数ＤＥＭに「色味」の文字列を格納する。その後、図１０のフローチャートに進む。
【００６１】
Ｓ８１８では、システム制御部２１４は変数ＣＯＬ（３）の文字列が表示されている領域がタッチされた否かを判定する。タッチされた場合にはＳ８１９に進む。タッチされていない場合には吹き出し７０１以外がタッチされたのでＳ８１２に戻り、再度、タッチを待機する。
Ｓ８１９では、システム制御部２１４は変数ＤＥＭにＣＯＬ（３）の文字列を格納する。例えば、図７（ｃ）の場合には、システム制御部２１４は変数ＤＥＭに「肌を美しく」の文字列を格納する。なお、変数ＣＯＬ（３）に「シャッター禁止」が格納されている場合には、システム制御部２１４は変数ＤＥＭに「シャッター禁止」の文字列を格納する。その後、図１０のフローチャートに進む。
【００６２】
このように、フラッシュ発光せずに合焦している顔をタッチした場合には、主被写体の写真的パラメータに関する「明るく・暗く」、「色味」、「肌を美しく」の３つの要望（選択肢）が表示される。一方、フラッシュ発光した場合には撮影者の意図に反して発光することもあるため「肌を美しく」よりも要望の高い選択肢の「フラッシュ禁止」に変更して表示される。このように、フラッシュ発光の有無に応じて要望を取捨選択して表示することで、撮影者は最適な要望を選択することができる。
【００６３】
Ｓ８０５においてタッチ位置が合焦した測距点の近傍ではない場合にはＳ８２０に進む。ここでは、タッチ位置が顔位置の近傍であるが顔には合焦されていない場合であるために、撮影者はピントに不満があると判定できる。そのため、Ｓ８２０〜Ｓ８２２を経て、Ｓ８１１ではシステム制御部２１４が「ピントをここに／明るく・暗く／肌を美しく」の文字列を表示する。なお、Ｓ８０９、Ｓ８１０と同様にフラッシュ発光した場合は「フラッシュ禁止」が優先して表示される。
【００６４】
Ｓ８０４においてタッチ位置が顔近傍ではない場合にはＳ８２３に進む。
Ｓ８２３では、システム制御部２１４はタッチ位置が測距点の近傍であるか否かを判定する。この処理は、Ｓ８０５と同様に処理することができる。タッチ位置が測距点の近傍である場合、タッチ位置が顔以外の主被写体であると判定できる。例えば、図７（ｂ）に示すヨットＢに合焦していて、ヨットＢがタッチされた場合が想定される。この場合には撮影者は主被写体の写真的パラメータに不満があると判定できる。そのため、Ｓ８２４〜Ｓ８２６を経て、Ｓ８１１ではシステム制御部２１４が「明るく・暗く／色味／ぼかす・くっきり」の文字列を表示する。なお、顔が検出されていないので、「肌を美しく」という要望はないため、次に要望の高い「ぼかす・くっきり」の文字列が変数ＣＯＬ（３）に格納される。また、フラッシュ発光した場合は「フラッシュ禁止」が優先して表示される。
【００６５】
Ｓ８２３においてタッチ位置が合焦した測距点の近傍ではない場合にはＳ８２７に進む。
Ｓ８２７では、システム制御部２１４はタッチ位置が黄金分割枠内であるか否かを判定する。ここで、黄金分割枠は、図３に示すＧ−ＡＲＥＡである。タッチ位置が黄金分割枠内の場合にはステップＳ８２８に進み、黄金分割枠内ではない場合にはＳ８３１に進む。例えば、図７（ｂ）に示すヨットＢ以外に合焦していて、ヨットＢがタッチされた場合が想定される。主被写体は黄金分割枠内に位置させる確率が高く、黄金分割枠内をタッチした場合とは撮影者は主被写体のピントに不満があると判定できる。そのため、Ｓ８２８〜Ｓ８３０を経て、Ｓ８１１ではシステム制御部２１４が「ピントをここに／明るく・暗く／色味」の文字列を表示する。なお、顔が検出されていないので、「肌を美しく」という要望はないため、次に要望の高い「色味」の文字列が変数ＣＯＬ（３）に格納される。また、フラッシュ発光した場合は「フラッシュ禁止」が優先して表示される。
【００６６】
Ｓ８２７においてタッチ位置が黄金分割枠外であった場合にはＳ８３１に進む。
Ｓ８３１では、システム制御部２１４はシーンが所定のシーンであるか否かを判定する。具体的には、システム制御部２１４はシーンが夕焼けであるかを変数ＳＣＮに格納された画像情報としてのシーン情報に基づいて判定する。所定のシーンである場合にはＳ８３２に進み、所定のシーン以外の場合にはＳ８３５に進む。ここで、黄金分割枠外をタッチした場合は、背景がタッチされている可能性が高い。このとき、例えば、夕焼けのシーンでは、赤い夕日の色を際立たせたいという要望であると判定できる。そのため、Ｓ８３２〜Ｓ８３４を経て、Ｓ８１１ではシステム制御部２１４が「夕焼けの色を変える／明るく・暗く／色味」の文字列を表示する。また、フラッシュ発光した場合は「フラッシュ禁止」が優先して表示される。
【００６７】
Ｓ８３１においてシーンが夕焼けではない場合にはＳ８３５に進む。
Ｓ８３５では、システム制御部２１４はタッチ位置が画面の４隅（４頂点）の何れかから所定範囲内であるか否かを判定する。具体的には、システム制御部２１４はタッチ位置が図３に示すＣＩＲＣＬＥよりも外側であるか否かを判定することで、タッチ位置が４隅の何れかから所定範囲内であるかを判定することができる。すなわち、タッチ位置を示す変数ＴＰＯＳの座標を（Ｘｔｐ、Ｙｔｐ）とすると、原点（０、０）からの距離が√（Ｘｔｐ2＋Ｙｔｐ2)で算出される。この距離がＣＩＲＣＬＥの半径よりも大きい場合にタッチ位置が外側であると判定できる。例えば、図７（ｂ）に示す隅部Ｃがタッチされた場合が想定される。この場合には、レンズの周辺光量落ち等の不満があると判定できる。そのため、Ｓ８３６〜Ｓ８３８を経て、Ｓ８１１ではシステム制御部２１４が「隅を明るく／明るく・暗く／色味」の文字列を表示する。なお、フラッシュ発光の有無による画面隅への影響は少ないため、Ｓ８０９の処理は省略される。
【００６８】
Ｓ８３５においてタッチ位置が４隅ではない場合にはＳ８３９に進む。
Ｓ８３９では、システム制御部２１４はタッチ位置が所定位置よりも上側であるか否かを判定する。具体的には、変数ＴＰＯＳの座標を（Ｘｔｐ、Ｙｔｐ）とすると例えばＹｔｐが０．６よりも大きいか否かを判定する。上側の場合にはＳ８４０に進み、上側ではない場合にはＳ８４４に進む。
Ｓ８４０では、システム制御部２１４はタッチ位置の周辺の画素を抽出し、画像情報としての赤緑青の割合情報に基づいて青の割合が多いか否かを判定する。青の割合が多い場合にはＳ８４１に進み、青の割合が多くない場合にはＳ８４４に進む。例えば、図７（ｂ）に示す空部Ｄがタッチされた場合が想定される。この場合には、空の青色を変更したいという要望であると判定できる。そのため、Ｓ８４１〜Ｓ８４３を経て、Ｓ８１１ではシステム制御部２１４が「空を青く／明るく・暗く／色味」の文字列を表示する。なお、フラッシュ発光は空まで到達しないため、Ｓ８０９の処理は省略される。
【００６９】
Ｓ８４０において青の割合が多くない場合にはＳ８４４に進む。
Ｓ８４４では、システム制御部２１４はタッチ位置の周辺の画素を抽出し、画像情報としての赤緑青の割合情報に基づいて緑の割合が多いか否かを判定する。緑の割合が多い場合にはＳ８４５に進み、緑の割合が多くない場合にはＳ８４８に進む。例えば、図７（ｂ）に示す緑部Ｅ、すなわち樹木の葉がタッチされた場合が想定される。この場合には、樹木の緑色を変更したいという要望であると判定できる。そのため、Ｓ８４５〜Ｓ８４７を経て、Ｓ８１１ではシステム制御部２１４が「緑の色を深く／明るく・暗く／色味」の文字列を表示する。なお、樹木にはフラッシュ発光の有無による影響は少ないため、Ｓ８０９の処理は省略される。
【００７０】
Ｓ８４８では、システム制御部２１４は再度タッチ位置が上側であるか否かを判定する。具体的には、変数ＴＰＯＳの座標を（Ｘｔｐ、Ｙｔｐ）とすると、例えばＹｔｐが０．６よりも大きいか否かを判定する。上側の場合にはＳ８４９に進み、上側ではない場合にはＳ８５２に進む。
Ｓ８４９〜Ｓ８５１あるいはＳ８５２〜Ｓ８５４を経て、Ｓ８１１ではシステム制御部２１４が「ぼかす・くっきり／明るく・暗く／色味」の文字列を表示する。なお、Ｓ８４９〜Ｓ８５１を経た場合、すなわち画面の上側がタッチされた場合にはフラッシュ発光が到達する影響は少ないため、Ｓ８０９の処理は省略される。一方、Ｓ８５２〜Ｓ８５４を経た場合、すなわち画面の下側がタッチされた場合には画面の下側は相対的にカメラに近い被写体が多く、フラッシュ発光の影響が大きいため、フラッシュ発光した場合は「フラッシュ禁止」が優先して表示される。
【００７１】
図９は、タッチ位置と撮影者の要望との関係を示す図である。
図９では、タッチ位置に対して撮影者の要望の高い順に１〜４を表示している。本実施形態では、「ピントをここに」、「ぼかすくっきり」、「明るく暗く」、「空を青く」、「緑の色を深く」、「肌を美しく」、「色味」、「フラッシュ禁止」、「夕焼けの色を変える」、「隅を明るく」等の要望の全てが表示されるものではない。すなわち、タッチ位置、シーン情報、赤緑青の割合情報、フラッシュ発光の有無等に基づいて最適な要望が表示されるために、撮影者は要望を容易に選択することができる。
【００７２】
次に、Ｓ８１５、Ｓ８１７、Ｓ８１９において、撮影者が選択した要望が変数ＤＥＭに格納されることで、図１０のフローチャートのＳ１００１に進む。図１０の各フローチャートにおける各処理は、システム制御部２１４が不揮発性メモリ２２０に格納されたプログラムをシステムメモリ２２１に展開して実行することにより実現される。
Ｓ１００１では、システム制御部２１４は撮影者により選択された要望が「ピントをここに」であるか否かを判定する。具体的には、システム制御部２１４は変数ＤＥＭに「ピントをここに」が格納されているか否かを判定する。要望が「ピントをここに」である場合にはＳ１００２に進む。
Ｓ１００２では、システム制御部２１４はタッチ位置から最も近い測距点をオートフォーカスの測距点とする。具体的には、システム制御部２１４はタッチ位置の座標が格納された変数ＴＰＯＳと各測距点の座標とに基づいて、タッチ位置と各測距点との間の距離を計算する。システム制御部２１４は計算した距離の中で最も短い距離の測距点の番号を変数ＡＦＰに格納する。この処理は、支援手段による処理の一例に対応する。
【００７３】
Ｓ１００３では、システム制御部２１４は表示部１０５に設定を変更した旨を表示する。具体的には、図７（ｄ）に示すように、システム制御部２１４は「設定を変更しました。再度撮影してください」等のメッセージ７０３を表示する。
Ｓ１００４では、システム制御部２１４は第１シャッタースイッチ信号ＳＷ１が発生したか否か、すなわち第１シャッタースイッチ２２４が操作（シャッターボタン１０１が半押し）されたか否かを判定する。第１シャッタースイッチ信号ＳＷ１が発生した場合には図４のフローチャートのＳ４０３に戻り、発生していない場合には第１シャッタースイッチ信号ＳＷ１の発生を待機する。Ｓ４０３に戻った場合にはＳ４０４においてシステム制御部２１４はタッチ位置から最も近い測距点においてオートフォーカスを行う。
【００７４】
Ｓ１００１において、要望が「ピントをここに」ではない場合にはＳ１００５に進む。
Ｓ１００５では、システム制御部２１４は撮影者により選択された要望が「ぼかす・くっきり」であるか否かを判定する。具体的には、システム制御部２１４は変数ＤＥＭに「ぼかす・くっきり」が格納されているか否かを判定する。要望が「ぼかす・くっきり」である場合にはＳ１００６に進む。
【００７５】
Ｓ１００６では、システム制御部２１４は表示部１０５に、撮影者に要望を選択させるための選択ボタンを表示する。具体的には、図７（ｅ）に示すように、システム制御部２１４は「ぼかす」ボタン７０４と「くっきり」ボタン７０５とを表示する。
Ｓ１００７では、システム制御部２１４は表示部１０５がタッチされたか否かを判定する。表示部１０５がタッチされた場合にはＳ１００８に進み、タッチされない場合にはタッチされるまで待機する。
Ｓ１００８では、システム制御部２１４はタッチパネル２２７を介してタッチ位置の座標を取得する。
Ｓ１００９では、システム制御部２１４は「ぼかす」が選択されたか否か、すなわち「ぼかす」ボタン７０４の領域がタッチされたか否かを判定する。「ぼかす」が選択された場合にはＳ１０１０に進み、選択されていない場合にはＳ１０１１に進む。
Ｓ１０１０では、システム制御部２１４は被写界深度が浅くなるように設定する。具体的には、システム制御部２１４は変数ＰＲＯＧにＦ１．８を格納して、シャッター速度と絞り値を演算するときのプログラムを変更する。その後、Ｓ１００３からＳ１００４に進み、図４のフローチャートのＳ４０３に戻る。Ｓ４０３に戻った後、Ｓ４０５の測光演算の処理を示す図５（ｂ）のフローチャートにおいて、システム制御部２１４は絞り値Ｆ１．８優先プログラム線に従ってシャッター速度と絞り値とを演算する。したがって、被写界深度の浅い背景のぼけた写真を撮影することができる。
【００７６】
Ｓ１００９において「ぼかす」が選択されていない場合にはＳ１０１１に進む。
Ｓ１０１１では、システム制御部２１４は「くっきり」が選択されたか否か、すなわち「くっきり」ボタン７０５の領域がタッチされたか否かを判定する。「くっきり」が選択された場合にはＳ１０１２に進む。選択されていない場合にはＳ１００９に戻る。
Ｓ１０１２では、システム制御部２１４は被写界深度が深くなるように設定する。具体的には、システム制御部２１４は変数ＰＲＯＧにＦ１６を格納して、シャッター速度と絞り値を演算するときのプログラムを変更する。この後、Ｓ１００３からＳ１００４に進み、図４のフローチャートのＳ４０３に戻る。Ｓ４０３に戻った後、Ｓ４０５の測光演算の処理を示す図５（ｂ）のフローチャートにおいて、システム制御部２１４は絞り値Ｆ１６優先プログラム線に従ってシャッター速度と絞り値とを演算する。したがって、被写界深度の深い背景のくっきりした写真を撮影することができる。
【００７７】
Ｓ１００５において要望が「ぼかす・くっきり」ではない場合にはＳ１０１３に進む。
Ｓ１０１３では、システム制御部２１４は撮影者により選択された要望が「明るく・暗く」であるか否かを判定する。具体的には、システム制御部２１４は変数ＤＥＭに「明るく・暗く」が格納されているか否かを判定する。要望が「明るく・暗く」である場合にはＳ１０１４に進む。
【００７８】
Ｓ１０１４〜Ｓ１０２０では、Ｓ１００６〜Ｓ１０１２と同様に、撮影者の要望に応じて設定を変更する。すなわち、システム制御部２１４は表示部１０５に「明るく」ボタンおよび「暗く」ボタンを表示する。システム制御部２１４は撮影者により「明るく」が選択された場合には露出値を減算するために露出補正値の変数ＥＸＰＡＤＪに＋１を格納し、「暗く」が選択された場合には露出値を加算するために露出補正値の変数ＥＸＰＡＤＪに−１を格納する。その後、Ｓ１００３およびＳ１００４を経て、Ｓ４０３に戻った後、Ｓ４０５の測光演算の処理を示す図５（ｂ）のフローチャートのＳ５０７において露出値が算出される。このとき、格納された変数ＥＸＰＡＤＪを用いて露出値が算出されるために、「明るく」が選択された場合には１段階分だけ明るい写真を撮影でき、「暗く」が選択された場合には１段階分だけ暗い写真を撮影できる。
【００７９】
Ｓ１０１３において要望が「ぼかす・くっきり」ではない場合にはＳ１０２１に進む。
Ｓ１０２１では、システム制御部２１４は撮影者により選択された要望が「色味」であるか否かを判定する。具体的には、システム制御部２１４は変数ＤＥＭに「色味」が格納されているか否かを判定する。要望が「色味」である場合にはＳ１０２２に進む。
【００８０】
Ｓ１０２２〜Ｓ１０２８では、Ｓ１００６〜Ｓ１０１２と同様に、撮影者の要望に応じて設定を変更する。すなわち、システム制御部２１４は表示部１０５に「赤く」ボタンおよび「青く」ボタンを表示する。システム制御部２１４は撮影者により「赤く」が選択された場合には赤みが生じるようにホワイトバランス補正量の変数ＷＢＡＤＪに＋１を格納し、「青く」が選択された場合には青みが生じるようにホワイトバランス補正量の変数ＷＢＡＤＪに−１を格納する。その後、Ｓ１００３およびＳ１００４を経て、Ｓ４０３に戻った後に、Ｓ４２０の現像処理においてホワイトバランスが行われる。このとき、格納された変数ＷＢＡＤＪを用いてホワイトバランスが行われるために、「赤く」が選択された場合には１段階分だけ赤みがある写真を撮影でき、「青く」が選択された場合には１段階分だけ青みがある写真を撮影できる。
【００８１】
Ｓ１０２１において要望が「色味」ではない場合にはＳ１０２９に進む。
Ｓ１０２９では、システム制御部２１４は撮影者により選択された要望が「空を青く」であるか否かを判定する。具体的には、システム制御部２１４は変数ＤＥＭに「空を青く」が格納されているか否かを判定する。要望が「空を青く」である場合にはＳ１０３０に進む。
Ｓ１０３０では、システム制御部２１４は空の青を強調させるために現象パラメータの変数ＰＡＲＡＭに「青空」を格納する。その後、Ｓ１００３およびＳ１００４を経て、Ｓ４０３に戻った後に、Ｓ４２０の現像処理において画像処理が行われる。このとき、システム制御部２１４は変数ＰＡＲＡＭに格納された「青空」の現像パラメータによって標準より色相をシアンよりにして、空をより強調する画像処理を行う。
【００８２】
Ｓ１０２９において要望が「色味」ではない場合にはＳ１０３１に進む。
Ｓ１０３１では、システム制御部２１４は撮影者により選択された要望が「緑の色を深く」であるか否かを判定する。具体的には、システム制御部２１４は変数ＤＥＭに「緑の色を深く」が格納されているか否かを判定する。要望が「緑の色を深く」である場合にはＳ１０３２に進む。
Ｓ１０３２では、システム制御部２１４は緑を強調させるために現象パラメータの変数ＰＡＲＡＭに「森林」を格納する。その後、Ｓ１００３およびＳ１００４を経て、Ｓ４０３に戻った後に、Ｓ４２０の現像処理において画像処理が行われる。このとき、システム制御部２１４は変数ＰＡＲＡＭに格納された「森林」の現像パラメータによって緑をより強調する画像処理を行う。
【００８３】
Ｓ１０３１において要望が「緑の色を深く」ではない場合にはＳ１０３３に進む。
Ｓ１０３３では、システム制御部２１４は撮影者により選択された要望が「肌を美しく」であるか否かを判定する。具体的には、システム制御部２１４は変数ＤＥＭに「肌を美しく」が格納されているか否かを判定する。要望が「肌を美しく」である場合にはＳ１０３４に進む。
Ｓ１０３４では、システム制御部２１４は肌色を強調させるために現象パラメータの変数ＰＡＲＡＭに「美肌」を格納する。その後、Ｓ１００３およびＳ１００４を経て、Ｓ４０３に戻った後に、Ｓ４２０の現像処理において画像処理が行われる。このとき、システム制御部２１４は変数ＰＡＲＡＭに格納された「美肌」の現像パラメータによって肌色をより強調する画像処理を行う。
【００８４】
Ｓ１０３３において要望が「肌を美しく」ではない場合にはＳ１０３５に進む。
Ｓ１０３５では、システム制御部２１４は撮影者により選択された要望が「夕焼けの色を変える」であるか否かを判定する。具体的には、システム制御部２１４は変数ＤＥＭに「夕焼けの色を変える」が格納されているか否かを判定する。要望が「夕焼けの色を変える」である場合にはＳ１０３６に進む。
Ｓ１０３６では、システム制御部２１４は夕焼けの赤色を強調させるために現象パラメータの変数ＰＡＲＡＭに「夕焼け」を格納する。その後、Ｓ１００３およびＳ１００４を経て、Ｓ４０３に戻った後に、Ｓ４２０の現像処理において画像処理が行われる。このとき、システム制御部２１４は変数ＰＡＲＡＭに格納された「夕焼け」の現像パラメータによって夕焼けの赤色をより強調する画像処理を行う。
【００８５】
Ｓ１０３５において要望が「夕焼けの色を変える」ではない場合にはＳ１０３７に進む。
Ｓ１０３７では、システム制御部２１４は撮影者により選択された要望が「フラッシュ禁止」であるか否かを判定する。具体的には、システム制御部２１４は変数ＤＥＭに「フラッシュ禁止」が格納されているか否かを判定する。要望が「フラッシュ禁止」である場合にはＳ１０３８に進む。
Ｓ１０３８では、システム制御部２１４はフラッシュ発光の設定をＯＦＦ、すなわちフラッシュ発光の変数ＦＬＳをＯＦＦにする。その後、Ｓ１００３およびＳ１００４を経て、Ｓ４０３に戻った後にＳ４０６およびＳ４１５ではフラッシュ発光の変数ＦＬＳがＡｕｔｏではないと判定される。したがって、フラッシュ１０４がポップアップされないと共に、Ｓ４１７においてフラッシュ１０４が発光しないように設定される。したがって、フラッシュ発光しない撮影を行うことができる。
【００８６】
Ｓ１０３７において要望が「フラッシュ禁止」ではない場合にはＳ１０３９に進む。なお、Ｓ１０３９に進むときの要望は、残った要望の「隅を明るく」であると想定できる。
Ｓ１０３９では、システム制御部２１４は周辺光量を補正するために、変数ＶＩＧＡＤＪにＯＮを格納する。その後、Ｓ１００３およびＳ１００４を経て、Ｓ４０３に戻った後に、Ｓ４２１において変数ＶＩＧＡＤＪにＯＮが格納されているためにＳ４２２に進む。したがって、システム制御部２１４は周辺光量を補正することで、画像の隅の光量が低下しない画像を生成することができる。
【００８７】
このように、本実施形態によれば、撮影後の画像に対するタッチ位置に基づいて撮影者の要望が表示され、選択された要望に基づいて次回の撮影のために撮影に関するパラメータが設定される。したがって、初心者であっても次回の撮影において撮影者の要望を反映させた画像を取得することができる。
また、本実施形態では、撮影後の画像、すなわち保存された画像データに対する撮影者の要望を次の撮影に反映できるようにする。例えば従来のようにライブビュー表示の画像に対して所望の画質処理を選択する場合では、ライブビュー表示の画像がイメージ通りであっても実際に撮影された後の画像はフラッシュ発光や画像処理によって所望する仕上がりと異なる場合がある。本実施形態のように撮影後の画像に対する要望を選択することで、撮影者は撮影後の画像に対して所望する仕上がりとの相違を明確に判断することができ、最適な要望を選択することができる。
【００８８】
（第２の実施形態）
次に、第２の実施形態について説明する。第１の実施形態ではシステム制御部２１４が撮影者によって選択された要望に基づいて次回の撮影のために撮影に関するパラメータを設定する場合について説明した。本実施形態ではシステム制御部２１４が撮影者の要望に基づいて次回の撮影のために撮影に関するパラメータの勧告すなわちアドバイスする場合について説明する。
図１１は、デジタルカメラの処理を示すフローチャートである。図１１のフローチャートにおける各処理は、システム制御部２１４が不揮発性メモリ２２０に格納されたプログラムをシステムメモリ２２１に展開して実行することにより実現される。
【００８９】
ここでは、図４のフローチャートと異なる処理について説明し、図４のフローチャートと同様の処理は同一のステップ番号を付して説明を適宜、省略する。
Ｓ１１０１では、システム制御部２１４はＭＥＮＵボタン１１３が操作されたか否かを判定する。操作された場合にはＳ１１０２に進み、操作されていない場合にはＳ１１０３に進む。
Ｓ１１０２では、システム制御部２１４は撮影者による選択に応じて各種パラメータを設定する。具体的には、図１２に示すように、システム制御部２１４は表示部１０５にメニュー画面として各種パラメータを表示する。撮影者は十字キー１０８を用いて変更したいパラメータを選択し、ＳＥＴボタン１０９を押下することで選択を確定させる。システム制御部２１４はＳＥＴボタン１０９の押下に応じて、選択されたパラメータに含まれる設定値を撮影者に選択可能に表示する。撮影者は十字キー１０８を用いて設定値を選択し、ＳＥＴボタン１０９を押下することで設定値の選択を確定させることで、システム制御部２１４は選択されたパラメータの設定値を設定する。
【００９０】
図１２に示すようにパラメータには、測距点、撮影モード、露出補正量、フラッシュ、現像パラメータ、ホワイトバランス、ホワイトバランス補正量、周辺光量補正等がある。なお、測距点では、自動選択または任意の測距点の９点が選択されることで、システム制御部２１４は選択に応じてＡｕｔｏあるいは測距点番号を変数ＡＦＰに格納する。撮影モードでは、プログラムと絞り優先とを設定することができる。露出補正量では、±３段階の何れかが選択されることで、システム制御部２１４は選択に応じた露出補正量を変数ＥＸＰＡＤＪに格納する。フラッシュでは、自動発光または発光禁止が選択されることで、システム制御部２１４は選択に応じてフラッシュ発光の変数ＦＬＳにＡｕｔｏまたはＯＦＦを格納する。現像パラメータでは、標準、夕焼け、青空、森林、美肌等の何れかかが選択されることで、システム制御部２１４は選択に応じた現像パラメータを変数ＰＡＲＡＭに格納する。ホワイトバランスでは、ＡＷＢに加えて、晴天、日陰、曇り、電球、蛍光灯等が選択されることで、システム制御部２１４は選択に応じたホワイトバランスの種類を変数ＷＢに格納する。ホワイトバランス補正量では、±３段階の何れかが選択されることで、システム制御部２１４は選択に応じたホワイトバランス補正量を変数ＷＢＡＤＪに格納する。周辺光量補正では、ＯＮとＯＦＦとの何れかが選択されることで、システム制御部２１４は選択に応じて周辺光量補正のＯＮまたはＯＦＦを変数ＶＩＧＡＤＪに格納する。
このように、撮影者は所望するパラメータの設定値を変更して設定することができる。
【００９１】
Ｓ１１０３では、システム制御部２１４は第１シャッタースイッチ信号ＳＷ１が発生したか否か、すなわち第１シャッタースイッチ２２４が操作（シャッターボタン１０１が半押し）されたか否かを判定する。第１シャッタースイッチ信号ＳＷ１が発生した場合にはＳ４０２に進み、発生していない場合にはＳ１１０１に戻る。
その後、Ｓ４０３において第１シャッタースイッチ信号ＳＷ１が発生しない場合にはＳ１１０４に進み、システム制御部２１４はシステムタイマー２２２がタイマーをクリアしてから所定の時間が経過したか否かを判定する。ここで、所定の時間とは例えば６秒である。所定の時間が経過した場合には第１の実施形態とは異なりＳ１１０１に戻り、システム制御部２１４は再度、ＭＥＮＵボタン１１３が操作されたか否かを判定する。
一方、Ｓ４０３において第１シャッタースイッチ信号ＳＷ１が発生した場合には、第１の実施形態と同様に、システム制御部２１４はオートフォーカス、測光演算、撮影の動作を行う。
【００９２】
Ｓ４２０では、システム制御部２１４はメモリ制御部２１６に格納されたＲＡＷ画像を読み出し、画像処理部２１７を介して色補間処理、ホワイトバランス処理、色補正等を行う。このとき、システム制御部２１４はＳ１１０２で設定したパラメータの設定値に基づいて画像処理を行う。具体的には、システム制御部２１４は現像パラメーラの変数ＰＡＲＡＭと、ホワイトバランスの種類の変数ＷＢと、ホワイトバランス補正量の変数ＷＢＡＤＪに基づいて画像処理を行う。また、システム制御部２１４はホワイトバランスの種類が格納された変数ＷＢに関わらず、オートホワイトバランスにより得られた結果から想定されるホワイトバランスの種類を変数ＷＢ＿ＲＥＳに格納する。
【００９３】
Ｓ４２８では、システム制御部２１４はヘルプアイコンが選択されたか否かを判定し、し、ヘルプアイコンが選択された場合には、図８のフローチャートのＳ８０１に進む。なお、図８のフローチャートは、第２の実施形態と同様であるために、説明を省略する。次に、図８のフローチャートのＳ８１５、Ｓ８１７またはＳ８１９において、撮影者の要望が変数ＤＥＭに格納されることで、図１３のフローチャートのＳ１３０１に進む。図１３のフローチャートにおける各処理は、システム制御部２１４が不揮発性メモリ２２０に格納されたプログラムをシステムメモリ２２１に展開して実行することにより実現される。
【００９４】
Ｓ１３０１では、システム制御部２１４は撮影者により選択された要望が「ピントをここに」であるか否かを判定する。具体的には、システム制御部２１４は変数ＤＥＭに「ピントをここに」が格納されているか否かを判定する。要望が「ピントをここに」である場合にはＳ１３０２に進む。
Ｓ１３０２では、システム制御部２１４はレンズ群２０３のフォーカスモードがマニュアルフォーカスモードに設定されているか否かを判定する。マニュアルフォーカスモードの場合にはＳ１３０３に進み、オートフォーカスモードの場合にはＳ１３０５に進む。
【００９５】
Ｓ１３０３では、システム制御部２１４はフォーカスモードを変更するようにアドバイスを表示する。具体的には、図７（ｆ）に示すように、システム制御部２１４は表示部１０５の画面中央に「レンズがＭＦになっています。ＡＦに切替えてください」等のメッセージ７０６を表示して、撮影者にマニュアルフォーカスモードが設定されていることを通知する。初心者の場合、フォーカスモードがマニュアルフォーカスモードに設定されていることに気付かずに、ピントが合わないことが不満のまま撮影を続けることがある。したがって、「ピントをここに」という要望がある撮影者には、オートフォーカスモードに切替えるようにアドバイスする。
【００９６】
Ｓ１３０４では、システム制御部２１４は撮影者がアドバイスを確認するまで待機する。具体的には、システム制御部２１４はＳＥＴボタン１０９が押下されるのを待機し、押下された場合には図１１のフローチャートのＳ１１０１に戻る。したがって、Ｓ１１０１からＳ１１０２に進むことで再度、撮影者はパラメータを設定することができる。
【００９７】
Ｓ１３０２においてマニュアルフォーカスモードではない場合にはＳ１３０５に進む。
Ｓ１３０５では、システム制御部２１４は測距点の設定が自動選択であるか否かを判定する。具体的には、システム制御部２１４は変数ＡＦＰにＡｕｔｏが格納されているか否かを判定する。自動選択の場合にはＳ１３０６に進む。
Ｓ１３０６では、システム制御部２１４は測距点を任意選択に変更するようにアドバイスを表示する。具体的には、システム制御部２１４は表示部１０５に「メニューで測距点を任意選択にしてください」等と表示する。このように、撮影者に測距点の選択を変更することでピントを合わせる位置が変更できることをアドバイスする。その後、Ｓ１３０４を経て、図１１のフローチャートのＳ１１０１に戻る。
【００９８】
Ｓ１３０５において測距点の設定が自動選択ではない場合にはＳ１３０７に進む。
Ｓ１３０７では、システム制御部２１４は測距点を変更するようにアドバイスする。具体的には、システム制御部２１４は表示部１０５に「メニューで測距点を変更してください」等と表示する。ここでは、撮影者は既に測距点の設定を任意選択にして測距点を選択している。したがって、撮影者は測距点を変更したまま、戻し忘れていることが想定できるため、再度ピントを合わせる位置を変更するようにアドバイスする。その後、Ｓ１３０４を経て、図１１のフローチャートのＳ１１０１に戻る。
【００９９】
Ｓ１３０１において要望が「ピントをここに」ではない場合にはＳ１３０８に進む。
Ｓ１３０８では、システム制御部２１４は撮影者により選択された要望が「ぼかす・くっきり」であるか否かを判定する。要望が「ぼかす・くっきり」の場合にはＳ１３０９に進む。
Ｓ１３０９では、システム制御部２１４は撮影モードを変更するようにアドバイスする。具体的には、システム制御部２１４は表示部１０５に「メニューで撮影モードを絞り優先にしてください。絞りを開放にするとぼけます。絞り込みするとくっきりします」等と表示する。このように、撮影者に撮影モードを絞り優先に変更することでぼかす・くっきりを設定できることをアドバイスする。その後、Ｓ１３０４を経て、図１１のフローチャートのＳ１１０１に戻る。
【０１００】
Ｓ１３０８において要望が「ぼかす・くっきり」ではない場合にはＳ１３１０に進む。
Ｓ１３１０では、システム制御部２１４は撮影者により選択された要望が「明るく・暗く」であるか否かを判定する。要望が「明るく・暗く」の場合にはＳ１３１１に進む。
Ｓ１３１１では、システム制御部２１４は露出補正量を変更するようにアドバイスする。具体的には、システム制御部２１４は表示部１０５に「メニューで露出補正量を変更してください。＋にすると明るく、−にすると暗く写ります」等と表示する。初心者は画像を明るくしたり暗くしたりする操作が露出補正であることを認識していないことがあるため、撮影者に露出補正量を変更することで明るくしたり、暗くしたりすることができることをアドバイスする。このとき、＋で明るくなり、−で暗くなることも表示することが好ましい。その後、Ｓ１３０４を経て、図１１のフローチャートのＳ１１０１に戻る。
【０１０１】
Ｓ１３１０において要望が「明るく・暗く」ではない場合にはＳ１３１２に進む。
Ｓ１３１２では、システム制御部２１４は撮影者により選択された要望が「色味」であるか否かを判定する。要望が「色味」の場合にはＳ１３１３に進む。
Ｓ１３１３では、システム制御部２１４はホワイトバランスの種類の変数ＷＢがＡｕｔｏであるか否かを判定する。Ａｕｔｏの場合にはＳ１３１４に進む。
Ｓ１３１４では、システム制御部２１４はホワイトバランスを設定するようにアドバイスする。具体的には、システム制御部２１４は表示部１０５に「メニューでホワイトバランスを設定してください」等と表示する。このように、撮影者にホワイトバランスを設定することで色味を変更できることをアドバイスする。
【０１０２】
Ｓ１３１３においてホワイトバランスの種類の変数ＷＢがＡｕｔｏではない場合にはＳ１３１５に進む。
Ｓ１３１５では、システム制御部２１４はホワイトバランスの種類の変数ＷＢと変数ＷＢ＿ＲＥＳとが同一であるか否かを判定する。同一である場合にはＳ１３１６に進む。
Ｓ１３１６では、システム制御部２１４はホワイトバランス補正量を変更するようにアドバイスする。具体的には、システム制御部２１４は表示部１０５に「メニューでホワイトバランス補正量を変更してください」等と表示する。ホワイトバランスの種類の変数ＷＢと変数ＷＢ＿ＲＥＳとが同一であって、要望が「色味」の場合には、選択したホワイトバランスが正しいのに色味に不満があるためであり、撮影者が微妙な色味の変更を望んでいると想定できる。したがって、撮影者にホワイトバランス補正量を変更することで色味を微妙に変更できることをアドバイス（ガイド表示）する。その後、Ｓ１３０４を経て、図１１のフローチャートのＳ１１０１に戻る。
【０１０３】
Ｓ１３１５においてホワイトバランスの種類の変数ＷＢと変数ＷＢ＿ＲＥＳとが同一ではない場合にはＳ１３１７に進む。
Ｓ１３１７では、システム制御部２１４はホワイトバランスの種類をＡＷＢ、すなわちＡｕｔｏにするようにアドバイスする。具体的には、システム制御部２１４は表示部１０５に「ホワイトバランスの種類が“ＷＢ”になっています。メニューでホワイトバランスの種類をＡＷＢに変更してください」等と表示する。ここで、“ＷＢ”は変数ＷＢに格納されているホワイトバランスの種類を文字列に変換して表示される。例えば、ホワイトバランスの種類が「蛍光灯」の場合には「ホワイトバランスの種類が蛍光灯になっています。」のようになる。ここで、撮影者が設定したホワイトバランスの種類とオートホワイトバランスで計算して想定したホワイトバランスの種類とが異なり、要望が「色味」の場合には、以前設定したホワイトバランスを戻し忘れていることが想定できる。したがって、撮影者にホワイトバランスの種類をＡＷＢに変更することをアドバイスすることで、戻し忘れに気付かせることができる。その後、Ｓ１３０４を経て、図１１のフローチャートのＳ１１０１に戻る。
【０１０４】
Ｓ１３１２において要望が「色味」ではない場合にはＳ１３１８に進む。
Ｓ１３１８では、システム制御部２１４は撮影者により選択された要望が「空を青く」であるか否かを判定する。要望が「空を青く」の場合にはＳ１３１９に進み、システム制御部２１４は現像パラメータの変更をアドバイスする。具体的には、システム制御部２１４は表示部１０５に「メニューで現像パラメータを青空に設定してください」等と表示する。このように、撮影者に現像パラメータを変更することで空を青くできることをアドバイスする。
【０１０５】
Ｓ１３１８において要望が「空を青く」ではない場合にはＳ１３２０に進む。
Ｓ１３２０では、システム制御部２１４は撮影者により選択された要望が「緑の色を深く」であるか否かを判定し、「緑の色を深く」の場合にはＳ１３２１において「メニューで現像パラメータを森林に設定してください」等と表示する。
また、Ｓ１３２２では、システム制御部２１４は撮影者により選択された要望が「肌を美しく」であるか否かを判定し、「肌を美しく」の場合にはＳ１３２３において「メニューで現像パラメータを美肌に設定してください」等と表示する。
また、Ｓ１３２４では、システム制御部２１４は撮影者により選択された要望が「夕焼けの色を変える」であるか否かを判定し、「夕焼けの色を変える」の場合にはＳ１３２５において「メニューで現像パラメータを夕焼けに設定してください」等と表示する。
このように、撮影者に現像パラメータを変更することで色合いを変更できることをアドバイスする。その後、Ｓ１３０４を経て、図１１のフローチャートのＳ１１０１に戻る。
【０１０６】
Ｓ１３２４において要望が「夕焼けの色を変える」ではない場合にはＳ１３２６に進む。
Ｓ１３２６では、システム制御部２１４は撮影者により選択された要望が「フラッシュ禁止」であるか否かを判定する。要望が「フラッシュ禁止」の場合にはＳ１３２７に進む。
Ｓ１３２７では、システム制御部２１４はフラッシュの設定を変更するようにアドバイスする。具体的には、システム制御部２１４は表示部１０５に「メニューでフラッシュを発光禁止に設定してください」等と表示する。このように、撮影者にフラッシュ発光を禁止できることをアドバイスする。その後、Ｓ１３０４を経て、図１１のフローチャートのＳ１１０１に戻る。
Ｓ１３２６において要望が「フラッシュ禁止」ではない場合にはＳ１３２８に進む。
Ｓ１３２８では、システム制御部２１４は周辺光量補正の変更をアドバイスする。具体的には、システム制御部２１４は表示部１０５に「メニューで周辺光量補正をＯＮに設定してください」等と表示する。このように、撮影者に周辺光量補正をＯＮにすることで画像の隅を明るくできることをアドバイスする。その後、Ｓ１３０４を経て、図１１のフローチャートのＳ１１０１に戻る。
【０１０７】
このように、本実施形態によれば、撮影者の要望に基づいて次回の撮影のために撮影に関するパラメータが勧告される。したがって、撮影者は勧告に従ってパラメータを自ら設定することにより、初心者であっても撮影者の要望を反映させた画像を取得することができる。特に、本実施形態では、マニュアルフォーカスモードに変更したり、ホワイトバランスの種類を変更したりしたまま設定を戻し忘れた場合であっても、撮影者の要望に基づいて誤設定であることを勧告することができる。
【０１０８】
以上、本発明を実施形態に基づいて詳述したが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
なお、システム制御部２１４による制御は１つのハードウェアが行ってもよいし、複数のハードウェアが処理を分担することで装置全体の制御を行ってもよい。
【０１０９】
また、上述した実施形態では、本発明をデジタルカメラ１００等の撮像制御装置に適用する場合を例にして説明したが、この場合に限定されない。すなわち、本発明は、レンズや撮像素子を有する、ＰＤＡ、携帯電話端末、タブレット、携帯型の画像ビューワ、ゲーム機等であってもよい。
また、本発明は、デジタルカメラ１００等の撮像装置に対して撮影を遠隔で指示したり、デジタルカメラ１００で撮影した画像を受信したりして表示できる撮像制御装置に適用することができる。すなわち、本発明は、レンズや撮像素子を有しないが遠隔で撮影を指示できる、パーソナルコンピュータ、ＰＤＡ、携帯電話端末、タブレット、携帯型の画像ビューワ、ゲーム機等であってもよい。
【０１１０】
（その他の実施例）
本発明は、上述の実施形態の１以上の機能を実現するプログラムを、ネットワークまたは記録媒体を介して撮像制御装置に供給し、その撮像制御装置のコンピータにおける１つ以上のプロセッサーがプログラムを読出し実行する処理でも実現可能である。また、１以上の機能を実現する回路（例えば、ＡＳＩＣ）によっても実現可能である。
【０１１１】
また、上述した実施形態では、撮影者が表示部１０５に表示された画像のうち不満がある位置を直接タッチすることで入力する場合について説明したが、この場合に限られない。例えば、撮影者は、画像に重畳して表示される矢印等を十字キー１０８で移動させ、不満がある位置でＳＥＴボタン１０９を押下すること等で入力してもよい。
また、上述した実施形態では、撮影者が表示部１０５に表示される撮影者の要望に対して直接タッチすることで選択する場合について説明したが、この場合に限られない。例えば、撮影者は要望の表示に重畳して表示されるカーソル等を十字キー１０８で移動させ、所望する要望の表示に重畳した状態でＳＥＴボタン１０９を押下すること等で選択してもよい。
【０１１２】
また、上述した第２の実施形態では、撮影に関するパラメータの勧告を表示部１０５にメッセージで表示する場合について説明したが、この場合に限られず、音声等を用いて勧告してもよい。
【符号の説明】
【０１１３】
１００：デジタルカメラ  １０１：シャッターボタン  １０４：フラッシュ  １０５：表示部  ２１３：撮像部  ２１４：システム制御部  ２２４：第１シャッタースイッチ  ２２５：第２シャッタースイッチ  ２１７：画像処理部  ２２６：操作部  ２２７：タッチパネル
【図１】
0006529355.tif 000002
【図２】
0006529355.tif 000003
【図３】
0006529355.tif 000004
【図４】
0006529355.tif 000005
【図５】
0006529355.tif 000006
【図６】
0006529355.tif 000007
【図７】
0006529355.tif 000008
【図８】
0006529355.tif 000009
【図９】
0006529355.tif 000010
【図１０】
0006529355.tif 000011
【図１１】
0006529355.tif 000012
【図１２】
0006529355.tif 000013
【図１３】
0006529355.tif 000014